(57)【要約】  ダンプトラック（１）のステップを、車両本体（４）の上方から下方に降りるに従って前方に向かうように傾斜した第３ステップ（２０）と、第３ステップ（２０）の下端に設けられて上方から下方に降りるに従って車両本体（４）の外方から内方に向かうように傾斜した第２ステップ（１９）とを備えて構成し、第２ステップ（１９）の外方側の下部の高さ位置を、内方側の下部の高さ位置よりも高くした。
2010147131.tif 000002
【特許請求の範囲】
【請求項１】
車両本体の前部側に昇降用のステップが設けられるダンプトラックにおいて、
前記ステップは、
前記車両本体の上方から下方に降りるに従って前方に向かうようになる上側ステップと、
前記上側ステップの下端に設けられて上方から下方に降りるに従って車両本体の外方から内方に向かうようになる下側ステップとを備え、
前記下側ステップの外方側の下部の高さ位置は、内方側の下部の高さ位置よりも高い
ことを特徴とするダンプトラック。
【請求項２】
請求項１に記載のダンプトラックにおいて、
前記ステップは、前記車両本体の左右両側に互いに離間して一対設けられている
ことを特徴とするダンプトラック。
【請求項３】
請求項１または請求項２に記載のダンプトラックにおいて、
前記下側ステップの外方側の角部には、平面視にて前方に向かうに従って内方に位置するようになるステップ側傾斜部が設けられている
ことを特徴とするダンプトラック。
【請求項４】
請求項３に記載のダンプトラックにおいて、
前記車両本体に設けられた後輪はダブルタイヤとされ、
前記下側ステップでの前面と前記ステップ側傾斜部との境界部分は、前記ダブルタイヤを構成する内側のタイヤの幅内に設定されている
ことを特徴とするダンプトラック。
【請求項５】
請求項３または請求項４に記載のダンプラックにおいて、
前記下側ステップの前面および前記ステップ側傾斜部は、正面視にて外方に向かうに従って下端の位置が高くなるカバープレートにより形成されている
ことを特徴とするダンプトラック。
【請求項６】
請求項１ないし請求項５のいずれかに記載のダンプトラックにおいて、
前記下側ステップの内方側の端部は、前記車両本体の左右方向の中央よりも外方側に位置している
ことを特徴とするダンプトラック。
【請求項７】
請求項１ないし請求項６のいずれかに記載のダンプトラックにおいて、
前記下側ステップの下端には、前記車両本体のバンパが接続され、前記バンパ上は、前記車両本体の左右方向に往来自在な前後幅を有する通路になっている
ことを特徴とするダンプトラック。
【請求項８】
請求項７に記載のダンプトラックにおいて、
前記バンパの左右両側には、前面に対して連続し、かつ平面視にて前方に向かうに従って内方に位置するようになるバンパ側傾斜部が設けられている
ことを特徴とするダンプトラック。
【請求項９】
請求項７または請求項８に記載のダンプトラックにおいて、
前記ステップは、前記車両本体の左右両側に互いに離間して一対設けられ、
前記一対のステップの下部側は、前記バンパに接続され、
前記一対のステップの上部側は、前記車両本体の上部左右に設けられたアクセス通路に接続され、
前記車両本体の前記一対のステップに挟まれた位置には、冷却空気を流通させるフロントグリルが設けられている
ことを特徴とするダンプトラック。
【発明の詳細な説明】
【技術分野】
【０００１】
本発明は、ダンプトラックに係り、鉱山開発等に用いられる大型のリジット式ダンプトラックに関する。
【背景技術】
【０００２】
従来、大型のリジット式ダンプトラックにおいて、車体のフロントバンパの左右の一端側をサブプラットフォームとするとともに、当該バンパの一端側には地上からサブプラットフォームへアクセスするためのステップ状のフレキシブルラダーを設け、また、サブプラットフォームからキャブ前方のメインのプラットフォームにアクセスするためのフィクスドラダーを設けることが知られている（特許文献１）。
【先行技術文献】
【特許文献】
【０００３】
【特許文献１】米国特許第５，０６４，０２３号明細書
【発明の概要】
【発明が解決しようとする課題】
【０００４】
近年では、ラダー等のステップを用いた場合の昇降性に関する規制が厳しく、急な勾配を有したステップが敬遠されるようになっている。しかし、ステップの角度勾配の規制をクリアーしようとすると、ステップの下部側が車両本体の前方側に大きく突き出ることになるため、車両本体のアプローチアングル（前輪の接地点から車体の前端下部までの角度）が小さくなるうえ、旋回半径が大きくなるという問題がある。
また、ステップは車両本体の側方に設けられることが一般的であるが、側方にステップが設けられると、車両本体にローリングが生じて側方が沈み込んだ場合など、ステップの下部側が路肩の岩などにぶつかって損傷するという問題がある。【０００５】
本発明の目的は、ステップの勾配を緩やかにできてアプローチアングルや旋回半径を良好に維持できるとともに、ステップの損傷を防止できるダンプトラックを提供することにある。
【課題を解決するための手段】
【０００６】
本発明のダンプトラックでは、車両本体の前部側に昇降用のステップが設けられるダンプトラックにおいて、前記ステップは、前記車両本体の上方から下方に降りるに従って前方に向かうようになる上側ステップと、前記上側ステップの下端に設けられて上方から下方に降りるに従って車両本体の外方から内方に向かうようになる下側ステップとを備え、前記下側ステップの外方側の下部の高さ位置は、内方側の下部の高さ位置よりも高いことを特徴とする。【０００７】
また、本発明のダンプトラックは、前記ステップが前記車輌本体の左右両側に互いに離間して一対設けられていることを特徴とする。【０００８】
本発明のダンプトラックにおいて、前記下側ステップの外方側の角部には、平面視にて前方に向かうに従って内方に位置するようになるステップ側傾斜部が設けられていることを特徴とする。【０００９】
本発明のダンプトラックにおいて、前記車両本体に設けられた後輪はダブルタイヤとされ、前記下側ステップでの前面と前記ステップ側傾斜部との境界部分は、前記ダブルタイヤを構成する内側のタイヤの幅内に設定されていることを特徴とする。
ここで、「ダブルタイヤ」とは、同軸上に並設された一対のタイヤからなる車輪をいう。【００１０】
本発明のダンプトラックにおいて、前記下側ステップの前面および前記ステップ側傾斜部は、正面視にて外方に向かうに従って下端の位置が高くなるカバープレートにより形成されていることを特徴とする。【００１１】
本発明のダンプトラックにおいて、前記下側ステップの内方側の端部は、前記車両本体の左右方向の中央よりも外方側に位置していることを特徴とする。【００１２】
本発明のダンプトラックにおいて、前記下側ステップの下端には、前記車両本体のバンパが接続され、前記バンパ上は、前記車両本体の左右方向に往来自在な前後幅を有する通路になっていることを特徴とする。【００１３】
本発明のダンプトラックにおいて、前記バンパの左右両側には、前面に対して連続し、かつ平面視にて前方に向かうに従って内方に位置するようになるバンパ側傾斜部が設けられていることを特徴とする。【００１４】
本発明のダンプトラックにおいて、前記ステップは、前記車輌本体の左右両側に互いに離間して一対設けられ、前記一対のステップの下部側は、前記バンパに接続され、前記一対のステップの上部側は、前記車輌本体の上部左右に設けられたアクセス通路に接続され、前記車輌本体の前記一対のステップに挟まれた位置には、冷却空気を流通させるフロントグリルが設けられていることを特徴とする。【００１５】
以上の本発明によれば、ステップは上側ステップと下側ステップとで構成されるが、この際、上側ステップは車両本体の上方から下方に降りるに従って前方側に向かい、下側ステップは上方から下方に降りるに従って外方から内方に向かうようになっているので、上側ステップと下側ステップとの接続部分には方向転換部が形成される。そして、上側ステップの長さ、すなわち上側ステップの上端から方向転換部までの長さは短くてよく、現状のステップの車両本体からの突き出し量の範囲内で勾配をより緩やかにできる。また、下側ステップは車両本体の外方から内方に向けて傾斜しているので、十分に緩やかな勾配を付与しても、車両本体の前方に突き出ることはない。従って、上下の各ステップを緩やかにして昇降性を改善した場合でも、アプローチアングルや旋回性をそのまま良好に維持できる。また、下側ステップでは、内方側の高さ位置よりも外方側の高さ位置の方が高いので、車両本体がローリングして左右に沈み込んだ場合でも、下側ステップを路肩の岩など、障害物にぶつかりにくくできる。【００１６】
バンパやステップに、平面視した場合の傾斜部を設けることで、アプローチアングルをさらに大きくできるうえ、特にステップにステップ側傾斜部を設けることにより、旋回半径を小さく維持でき、旋回時の取り回しを容易にできる。【００１７】
下側ステップの内方側の端部が車体本体中央よりも外方側に位置しているので、例えば、車体本体の前部側の中央付近に外気の取り込み口であるフロントグリルが設けられている場合には、車両本体の前部側に配置される下側ステップがフロントグリルを塞ぐ面積を少なくすることができる。従って、フロントグリルを介して外気を良好に取り込むことができる。【００１８】
バンパ上を左右方向に往来自在な通路とした場合には、この通路およびステップを介して地上と上方のキャブ側との往来を容易にでき、アクセス性を向上させることができる。【００１９】
車輌本体の上部左右にアクセス通路を設け、このアクセス通路とバンパとを左右のステップにて上下に接続させ、さらに、左右のステップの間にフロントグリルを設けることで、フロントグリル周りのメンテナンスを地上に降りることなく、アクセス通路間に設けられることになるボンネット上のメンテナンスと連続して行うことができ、作業性を向上させることができる。
【図面の簡単な説明】
【００２０】
【図１】本発明の一実施形態に係るダンプトラックを前方側から見た斜視図。
【図２】ダンプトラックの正面図。
【図３】ダンプトラックの前側部分の左側面図。
【図４】ダンプトラックの前側部分の平面図。
【発明を実施するための形態】
【００２１】
以下、本発明の一実施形態を図面に基づいて説明する。
図１は、本実施形態に係るダンプトラック１を前方側から見た斜視図、図２は、ダンプトラック１の正面図、図３は、ダンプトラック１の前側部分の左側面図、図４は、ダンプトラック１の前側部分の平面図である。なお、以下では、ダンプトラック１の進行方向側を「前」、進行方向と反対側を「後」とし、「左」、「右」は、進行方向を向いた時の左右に相当するものである。
【００２２】
ダンプトラック１は、鉱山等の開発に用いられる大型でリジット式のダンプトラックである。このダンプトラック１は、シングルタイヤからなる左右の前輪２およびダブルタイヤからなる左右の後輪３を有した車両本体４と、車両本体４に傾倒自在に取り付けられたボディ５とを備え、車両本体４の前方側の高所には、左側に寄せた位置に運転者用のキャブ６が設けられている。なお、図１、４では、図示の都合上、ボディ５の図示が省略されている。
【００２３】
車両本体４は、平面視で枠状に組まれたメインフレーム４Ａ（図３）を有しており、このメインフレーム４Ａに前輪２、後輪３、およびボディ５等が取り付けられている。また、メインフレーム４Ａの前方側中央で、かつキャブ６の下方側には、図示しないエンジンや油圧ポンプ等の駆動手段が搭載されている。前記キャブ６は、左前輪２の上方に位置している。キャブ６の周囲には、当該左前輪２のタイヤハウジング上部を形成するように左アクセス通路７が設けられており、キャブ６の左側方と前方側とを往来することが可能である。
【００２４】
一方、車両本体４において、右前輪２の上部には、当該右前輪２のタイヤハウジング上部を形成するように右アクセス通路８が設けられている。右アクセス通路８からは、エンジンへ供給される吸気用のエアフィルタ９をメンテナンスしたり、エンジンが収容されたボンネット１０上のハッチ１１（図４）を開放することで、内部のエンジン等をメンテナンスしたりすることが可能である。そして、本実施形態では、ボンネット１０の上部は、左右のアクセス通路７，８を連通するセンターアクセス通路１２になっている。各アクセス通路７，８，１２の辺縁にはそれぞれ、ハンドレール１３，１４，１５が立設されている。
【００２５】
ボンネット１０は、左右のアクセス通路７，８に対して前方に延出している。ボンネット１０の前面側の開口部分は格子状のフロントグリル２７で覆われており、内部に配置された冷却ファンにより、冷却空気が外部からボンネット１０内に取り込まれ、図示しないラジエータに供給される。このようなボンネット１０の下部側には、さらに前方に延出したバンパ１６が設けられている。
【００２６】
バンパ１６の前後幅は、従来のバンパの前後幅よりも格段に大きく、運転者がバンパ１６上を左右に往来できる程度の幅寸法を有している。すなわち、バンパ１６の上部は、ボンネット１０の前方を左右に往来自在なフロントアクセス通路（本発明の通路）１７になっている。バンパ１６の左右方向の長さ寸法は、図２に示すように、後輪３の内側のタイヤ３Ａの幅内に設定されている。具体的には、バンパ１６は、前面１６Ａと、前面１６Ａの両端に連続して設けられているとともに、平面視（図４）にて前方に向かうに従って内方（車両本体４の中央側）に位置するようになる第１傾斜部（本発明のバンパ側傾斜部）１６Ｂとを備えている。
【００２７】
バンパ１６の前面１６Ａの左側寄りには、地上とフロントアクセス通路１７との間で昇降するための第１ステップ１８が設けられている。バンパ１６の左端の上部には、上方から下方に降りるに従って車輌本体４の外方から内方に向かうように傾斜した第２ステップ（本発明の下側ステップ）１９が設けられている。
【００２８】
第２ステップ１９は、前方に向いた前面１９Ａと、前面１９Ａの外側に設けられているとともに、平面視（図４）にて前方に向かうに従って内方に位置するようになる第２傾斜部１９Ｂ（本発明のステップ側傾斜部）とを備えている。このような第２ステップ１９の下方側は、車輌本体４の左右方向の中央よりも外方側に位置し、上方側がさらに外方に延出している。
【００２９】
第２傾斜部１９Ｂは、ダンプトラック１の旋回半径を小さくするのに寄与している。第２ステップ１９が第２傾斜部１９Ｂを備えずに直角な角部を有していたのでは、旋回半径が大きくなって旋回時の取り回しがし難いものになってしまう。これに対して本実施形態では、そのような角部に第２傾斜部１９Ｂを備えることで、車両本体４の中央側を前方に延出させているから、旋回半径が犠牲にならなくてすむ。
【００３０】
なお、前面１９Ａと第２傾斜部１９Ｂとの境界部分の位置は、正面視（図２）にて後輪３の内側のタイヤ３Ａの幅内に設定されており、本実施形態では、バンパ１６後部の左端と同様に、タイヤ３Ａの外側寄りに位置している。
【００３１】
一方、第２ステップ１９の側面では、正面１９Ａおよび第２傾斜部１９Ｂが折曲部分を有する鉛直なカバープレート１９Ｅで形成され、このカバープレート１９Ｅの下端の位置は、正面視にて外方に向かうに従って地上からの距離も高くなっている。つまり、カバープレート１９Ｅの下側には、正面から見ると（図２）、外方に向かうに従って上方に位置する第３傾斜部１９Ｃが前面１９Ａから第２傾斜部１９Ｂにわたって設けられている。このような第３傾斜部１９Ｃは、カバープレート１９Ｅの下部開口を覆う面状プレートにより形成されている。
【００３２】
第３傾斜部１９Ｃにより、第２ステップ１９の外方側の下部の高さ位置は、バンパ１６の上部の高さ位置、つまり第２ステップ１９の内方側の下部の高さ位置よりも高くなっており、第２ステップ１９が左側外方に延出していても、ダンプトラック１の左右のローリング時や旋回時などにおいては、第２ステップ１９の下部等が路肩の岩などに当たり難くなり、損傷するのを抑制できる。
【００３３】
また、第２ステップ１９の最上位置は方向転換部１９Ｄとなっており、フロントアクセス通路１７から昇ってきた運転者は、この方向転換部１９Ｄにて後方側に向きを変えることになる。方向転換部１９Ｄと上方に設けられた左アクセス通路７との間には、ボンネット１０の左側に位置するように第３ステップ（本発明の上側ステップ）２０が設けられている。そして、第２ステップ１９および第３ステップ２０により、本発明に係るステップが形成されている。
【００３４】
第３ステップ２０は、第２ステップ１９が設けられていない場合では、左アクセス通路７とフロントアクセス通路１７とを直接連通させることになって急勾配となる。本実施形態では、フロントアクセス通路１７の端部に数段高い第２ステップ１９が設けられ、この第２ステップ１９に対して第３ステップ２０の下端が連結されているため、第３ステップ２０の勾配が緩やかとなり、運転者の昇降が容易である。これらのフロントアクセス通路１７，第２、第３ステップ１９，２０の必要部位にも、ハンドレール２１，２２，２３が立設されている。
【００３５】
右アクセス通路８の前側には、地上と右アクセス通路８との間を昇降する第４ステップ２４および第５ステップ２５が設けられている。上方側に位置する第４ステップ２４と下方側に位置する第５ステップ２５との間には、図２に示すように、第４ステップ２４および第５ステップ２５を接続する接続部２６が地上からバンパ１６の高さ位置に設けられている。すなわち、第４ステップ２４の下端、および第５ステップ２５の上端は、接続部２６にそれぞれ接続されている。第４ステップ２４は、接続部２６に対して傾斜するように取り付けられ、第５ステップ２５は、地上に向けて垂下するように接続部２６に取り付けられている。
【００３６】
上述した本実施形態のダンプトラック１によれば、以下の効果がある。
本実施形態では、第３ステップ２０は左アクセス通路７から下方に降りるに従って前方側に向かい、第２ステップ１９は第３ステップ２０からさらに下方に降りるに従って外方から内方に向かうようになっているので、第２ステップ２０の上端から方向転換部１９Ｄまでの長さは短くてよく、第３ステップ２０の前方への突き出し量を抑えつつその勾配を緩やかにできる。また、第２ステップ１９は外方から内方に向けて傾斜しているので、十分に緩やかな勾配を付与しても、前方に突き出ることはない。従って、第２、第３ステップ１９，２０を緩やかにして昇降性を改善できるうえ、アプローチアングルおよび旋回半径を小さく維持できる。
【００３７】
また、第２ステップ１９は、下面位置が外方に向かうに従って地上から離れるように第３傾斜部１９Ｃを備えているので、前述したように、ローリング時や旋回時にバンパ１６あるいは第２ステップ１９を損傷する心配がない。また、平面視にて傾斜しているバンパ１６の第１傾斜部１６Ｂや第２ステップ１９の第２傾斜部１９Ｂも、ローリング時の損傷防止に役立っている。さらに、第２ステップ１９において、平面視した場合に第２傾斜部１９Ｂを備えていることから、旋回半径を小さく維持できるという効果もある。
【００３８】
さらに、右アクセス通路８の前側には、第４ステップ２４および第５ステップ２５が設けられているが、地上と右アクセス通路８とを行き来する際、急勾配の第４ステップ２４を使わなくても第１ステップ１８〜第３ステップ２０〜センターアクセス通路１２を経由することにより、地上と右アクセス通路８とを容易に安全に行き来することができる。
【００３９】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００４０】
前記実施形態では、バンパ１６の前面１６Ａの左側寄りにのみ、地上とフロントアクセス通路１７との間で昇降するための第１ステップ１８が設けられていたが、第１ステップ１８を右側寄りにも設けてもよい。
【００４１】
また、バンパ１６の左端の上部には、バンパ１６上から左側外方に向けて昇るように第２ステップ１９が設けられていたが、第２ステップ１９をバンパ１６の右端の上部にも設けてもよい。さらに、第２ステップ１９からボンネット１０の左側を上方に昇るように第３ステップ２０が設けられていたが、第３ステップ２０をボンネット１０の右側を上方に昇るように設けてもよい。
すなわち車輌本体４の前部側において、左右両側の離間した位置に本発明に係るステップを略左右対称の態様にて一対設けることができる。このような場合、前記実施形態で説明した第４ステップ２４が右側の第２ステップ１９および第３ステップ２０で置き換えられることになる。
【００４２】
これらの構成によれば、バンパ１６の上部が地上とのアクセスが可能な幅広のフロントアクセス通路１７になっているので、地上に対する昇降を一対の第１ステップ１８のいずれかを使用して容易に行える。また、フロントアクセス通路１７の両端に設けられた第２ステップ１９を通して、例えばボンネット１０の左側だけではなく、右側を通しても上方のアクセス通路７，８，１２との間で行き来でき、各部へのアクセスを一層容易にできる。
【００４３】
この際、左側のステップの上部側は左アクセス通路７に接続され、下部側はバンパ１６の左寄りに接続され、右側のステップの上部側は右アクセス通路８に接続され、下部側はバンパ１６の右寄りに接続されることから、左右のステップの間に配置されたフロントグリル２７の全周において往来可能となり、例えば左アクセス通路７から左側のステップを降り、フロントグリル２７前を通って右側のステップを昇り、右アクセス通路８に回り込むことができる。従って、フロングリル２７周りのメンテナンスを地上に降りることなく、左右のアクセス通路７，８を利用したボンネット１０側での作業に連続してステップやバンパ１６上にて行うことができる。
【００４４】
また、前記実施形態では、第２ステップ１９の下部に第３傾斜部１９Ｃが設けられていることにより、アプローチアングルを大きくしていたが、第３傾斜部１９Ｃのように地上からの距離が徐々に大きくなる形状に限らず、第２ステップ１９の下部側が段差状とされ、バンパ１６から外方側の位置で、地上から所定距離だけ上方に離れるようにしてもよい。
【産業上の利用可能性】
【００４５】
本発明は、鉱山やその他の採石場で採掘された岩石等を運搬する大型のダンプトラックに利用可能である。
【符号の説明】
【００４６】
１…ダンプトラック、３…後輪、３Ａ…内側のタイヤ、４…車両本体、１６…バンパ、１６Ａ，１９Ａ…前面、１６Ｂ…バンパ側傾斜部である第１傾斜部、１７…通路であるフロントアクセス通路、１９…下側ステップである第２ステップ、１９Ａ…前面、１９Ｂ…ステップ側傾斜部である第２傾斜部、１９Ｃ…第３傾斜部、１９Ｅ…カバープレート、２０…上側ステップである第３ステップ、２７…フロントグリル。
【図１】
2010147131.tif 000003
【図２】
2010147131.tif 000004
【図３】
2010147131.tif 000005
【図４】
2010147131.tif 000006
【手続補正書】
【提出日】平成23年11月11日(2011.11.11)
【手続補正１】
【補正対象書類名】明細書
【補正対象項目名】００３６
【補正方法】変更
【補正の内容】
【００３６】
上述した本実施形態のダンプトラック１によれば、以下の効果がある。
本実施形態では、第３ステップ２０は左アクセス通路７から下方に降りるに従って前方側に向かい、第２ステップ１９は第３ステップ２０からさらに下方に降りるに従って外方から内方に向かうようになっているので、第３ステップ２０の上端から方向転換部１９Ｄまでの長さは短くてよく、第３ステップ２０の前方への突き出し量を抑えつつその勾配を緩やかにできる。また、第２ステップ１９は外方から内方に向けて傾斜しているので、十分に緩やかな勾配を付与しても、前方に突き出ることはない。従って、第２、第３ステップ１９，２０を緩やかにして昇降性を改善できるうえ、アプローチアングルおよび旋回半径を小さく維持できる。
【手続補正２】
【補正対象書類名】明細書
【補正対象項目名】００４６
【補正方法】変更
【補正の内容】
【００４６】
１…ダンプトラック、３…後輪、３Ａ…内側のタイヤ、４…車両本体、１６…バンパ、１６Ａ…前面、１６Ｂ…バンパ側傾斜部である第１傾斜部、１７…通路であるフロントアクセス通路、１９…下側ステップである第２ステップ、１９Ａ…前面、１９Ｂ…ステップ側傾斜部である第２傾斜部、１９Ｃ…第３傾斜部、１９Ｅ…カバープレート、２０…上側ステップである第３ステップ、２７…フロントグリル。
【国際調査報告】
2010147131.tif 000007
2010147131.tif 000008
2010147131.tif 000009
2010147131.tif 000010